(57)【要約】  エアコンまたは冷凍装置、特に、１，１，１，４，４，４−ヘキサフルオロ−２−ブテンと１，２−ジクロロエチレンとを含む組成物を含有する冷却装置であって、１，１，１，４，４，４−ヘキサフルオロ−２−ブテンがシス異性体または主としてシス異性体であり、そして１，２−ジクロロエチレンがトランス異性体または主としてトランス異性体である冷却装置が本明細書に開示される。これらの冷却装置は、遠心圧縮機を利用する、フラデッドエバポレーターまたは直接膨張式エバポレーターであってもよい。シス−１，１，１，４，４，４−ヘキサフルオロ−２−ブテンとトランス−１，２−ジクロロエチレンとを含む組成物を、冷却される本体の近くで蒸発させる工程を含む冷却を行う方法がまた本明細書に開示される。シス−１，１，１，４，４，４−ヘキサフルオロ−２−ブテンとトランス−１，２−ジクロロエチレンとを含む組成物であって、シス−１，１，１，４，４，４−ヘキサフルオロ−２−ブテンが５０〜約６０重量パーセントで存在する組成物がまた本明細書に開示される。
2013505424.tif 000002
【特許請求の範囲】
【請求項１】
１，１，１，４，４，４−ヘキサフルオロ−２−ブテンと１，２−ジクロロエチレンとを含む組成物を含有する冷却装置であって、前記１，１，１，４，４，４−ヘキサフルオロ−２−ブテンがシス異性体または主としてシス異性体であり、そして前記１，２−ジクロロエチレンがトランス異性体または主としてトランス異性体である冷却装置。
【請求項２】
前記１，１，１，４，４，４−ヘキサフルオロ−２−ブテンが本質的にシス−１，１，１，４，４，４−ヘキサフルオロ−２−ブテンであり、そして前記１，２−ジクロロエチレンが本質的にトランス−１，２−ジクロロエチレンである、請求項１に記載の冷却装置。
【請求項３】
前記冷却装置がフラデッドエバポレーター冷却装置である請求項１に記載の冷却装置。
【請求項４】
前記冷却装置が直接膨張式冷却装置である請求項１に記載の冷却装置。
【請求項５】
前記組成物が少なくとも５０質量パーセントのシス−１，１，１，４，４，４−ヘキサフルオロ−２−ブテンを含む請求項１に記載の冷却装置。
【請求項６】
シス−１，１，１，４，４，４−ヘキサフルオロ−２−ブテンとトランス−１，２−ジクロロエチレンとを含む前記組成物が共沸または共沸混合物様である請求項１に記載の冷却装置。
【請求項７】
前記組成物が約５５質量パーセント〜約９９質量パーセントのシス−１，１，１，４，４，４−ヘキサフルオロ−２−ブテンと約４５質量パーセント〜約１質量パーセントのトランス−１，２−ジクロロエチレンとを含む請求項６に記載の冷却装置。
【請求項８】
前記組成物が、前記１，１，１，４，４，４−ヘキサフルオロ−２−ブテンと１，２−ジクロロエチレンとの総質量を基準として５７．５質量パーセント超のシス−１，１，１，４，４，４−ヘキサフルオロ−２−ブテンを含む不燃性組み合わせを含む請求項２に記載の冷却装置。
【請求項９】
シス−１，１，１，４，４，４−ヘキサフルオロ−２−ブテンとトランス−１，２−ジクロロエチレンとを含む組成物を、冷却される本体の近くで、エバポレーターで蒸発させ、それによって冷却を行う工程を含む冷却を行う方法。
【請求項１０】
前記冷却が冷却装置で行われ、冷却媒体を前記エバポレーターに通す工程であって、前記蒸発工程が前記冷却媒体を冷却する工程と、前記冷却媒体を前記エバポレーターから冷却される前記本体に送る工程とをさらに含む、請求項９に記載の方法。
【請求項１１】
前記組成物を蒸発させる前記工程が蒸気組成物を生成し、前記蒸気組成物を遠心圧縮機で圧縮する工程をさらに含む、請求項９に記載の方法。
【請求項１２】
冷却装置でＨＣＦＣ−１２３またはＣＦＣ−１１冷媒を置き換える方法であって、前記方法が１，１，１，４，４，４−ヘキサフルオロ−２−ブテンと１，２−ジクロロエチレンとを含む組成物を、前記冷媒の代わりに前記冷却装置に提供する工程を含み、ここで、前記１，１，１，４，４，４−ヘキサフルオロ−２−ブテンがシス異性体または主としてシス異性体であり、そして前記１，２−ジクロロエチレンがトランス異性体または主としてトランス異性体である方法。
【請求項１３】
前記冷却装置が、羽根車を有する遠心圧縮機を含み、前記羽根車の回転速度を上げる工程をさらに含む、請求項１２に記載の方法。
【請求項１４】
前記冷却装置が、羽根車を有する遠心圧縮機を含み、前記圧縮機羽根車をより大きい直径の羽根車で置き換える工程をさらに含む、請求項１２に記載の方法。
【請求項１５】
１，１，１，４，４，４−ヘキサフルオロ−２−ブテンと１，２−ジクロロエチレンとから本質的になる組成物であって、前記１，１，１，４，４，４−ヘキサフルオロ−２−ブテンが本質的にシス−１，１，１，４，４，４−ヘキサフルオロ−２−ブテンであり、前記１，２−ジクロロエチレンが本質的にトランス−１，２−ジクロロエチレンであり、そして前記シス−１，１，１，４，４，４−ヘキサフルオロ−２−ブテンが、前記１，１，１，４，４，４−ヘキサフルオロ−２−ブテンと１，２−ジクロロエチレンとの総質量を基準として５０質量パーセント〜約６０質量パーセント存在する組成物。
【発明の詳細な説明】
【技術分野】
【０００１】
本開示は、エアコンまたは冷凍機器に使用するための冷媒の分野に関する。特に、本開示は、エアコンまたは冷凍機器、とりわけ、フラデッドエバポレーター（ｆｌｏｏｄｅｄ  ｅｖａｐｏｒａｔｏｒ）冷却装置または直接膨張式冷却装置を含む冷却装置に使用するための冷媒に関する。
【背景技術】
【０００２】
たとえあったとしても環境影響の極めて小さい、様々な用途向けの作動流体が捜し求められている。クロロフルオロカーボン（ＣＦＣ）作動流体の代替品として採用されるハイドロクロロフルオロカーボン（ＨＣＦＣ）およびハイドロフルオロカーボン（ＨＦＣ）作動流体は、オゾン層破壊係数（ＯＤＰ）がより低いかまたはゼロであるが、地球温暖化に寄与することが分かっている。さらに、ＨＣＦＣは、ＯＤＰのためにモントリオール議定書によって設定された段階的廃止期限に最終的には達するであろう。規制が地球温暖化係数に基づいて間もなく施行される、ＯＤＰゼロのＨＦＣでさえも、環境上許容される作動流体ではなくなるであろう。
【０００３】
それ故、冷媒、伝熱流体、クリーニング溶剤、エアゾール噴射剤、発泡剤および消火剤または火炎抑制剤として現在使用中のＣＦＣ、ＨＣＦＣ、およびＨＦＣの代替品が捜し求められている。
【０００４】
既存機器で交換品として役立つために、代替品は、それ用に機器がデザインされた元の作動流体の特性に近いかまたはそれに合致しなければならない。既存冷媒の代替と、類似の用途向けにデザインされた新規機器で冷媒としてもまた役立つこととを可能にする特性のバランスを提供する組成物を特定することが望ましいであろう。
【発明の概要】
【発明が解決しようとする課題】
【０００５】
特に冷却装置用途での２，２−ジクロロ−１，１，１−トリフルオロエタン（ＨＣＦＣ−１２３）およびフルオロトリクロロメタン（ＣＦＣ−１１）の代替品の探求において、不飽和フルオロカーボンを検討することが望ましいであろう。不飽和フルオロカーボンはＯＤＰがゼロであり、現在使用されている既存の冷媒より著しくＧＷＰが低い。
【課題を解決するための手段】
【０００６】
シス−１，１，１，４，４，４−ヘキサフルオロ−２−ブテンとトランス−１，２−ジクロロエチレンとを含む組成物は、所要のパラメータ（良好なエネルギー効率および冷却能力を意味する）内の冷却性能を提供すること、およびＧＷＰが低く、ＯＤＰが低いことが分かった。さらに、これらの組成物の幾つかの実施形態は、冷却装置に使用するために利点を提供する、共沸および共沸混合物様組成物であるように調合することができる。さらに、これらの組成物の幾つかの実施形態は、多くの場合冷凍およびエアコン産業での要件である、不燃性であることが分かった。
【０００７】
それ故、本発明の一実施形態に従って、エアコンまたは冷凍機器、特に、１，１，１，４，４，４−ヘキサフルオロ−２−ブテンと１，２−ジクロロエチレンとを含む組成物を含有する冷却装置であって、１，１，１，４，４，４−ヘキサフルオロ−２−ブテンがシス異性体または主としてシス異性体であり、そして１，２−ジクロロエチレンがトランス異性体または主としてトランス異性体である、冷却装置が本明細書に開示される。
【０００８】
別の実施形態では、シス−１，１，１，４，４，４−ヘキサフルオロ−２−ブテンとトランス−１，２−ジクロロエチレンとを含む組成物を、冷却される本体の近くでエバポレーターで蒸発させ、それによって冷却を行う工程を含む冷却を行う方法が開示される。冷却が冷却装置で行われるとき、冷却媒体はエバポレーターに通され、それによって冷却媒体を冷却し、そして冷却媒体はエバポレーターから、冷却される本体に循環させられる。蒸気組成物が遠心圧縮機で圧縮される、冷却装置が特に注目すべきである。
【０００９】
別の実施形態では、冷却装置でＨＣＦＣ−１２３またはＣＦＣ−１１冷媒を置き換える方法であって、前記方法が１，１，１，４，４，４−ヘキサフルオロ−２−ブテンと１，２−ジクロロエチレンとを含む組成物を、前記冷媒の代わりに前記冷却装置に提供する工程を含み、ここで、１，１，１，４，４，４−ヘキサフルオロ−２−ブテンがシス異性体または主としてシス異性体であり、そして１，２−ジクロロエチレンがトランス異性体または主としてトランス異性体である方法が開示される。冷却装置は遠心圧縮機を含んでもよい。
【００１０】
別の実施形態では、１，１，１，４，４，４−ヘキサフルオロ−２−ブテンと１，２−ジクロロエチレンとから本質的になる不燃性組成物であって、１，１，１，４，４，４−ヘキサフルオロ−２−ブテンが本質的にシス−１，１，１，４，４，４−ヘキサフルオロ−２−ブテンであり、１，２−ジクロロエチレンが本質的にトランス−１，２−ジクロロエチレンであり、そしてシス−１，１，１，４，４，４−ヘキサフルオロ−２−ブテンが、１，１，１，４，４，４−ヘキサフルオロ−２−ブテンと１，２−ジクロロエチレンとの総重量を基準として５０重量パーセント〜約６０重量パーセント存在する組成物が開示される。
【図面の簡単な説明】
【００１１】
【図１】シス−１，１，１，４，４，４−ヘキサフルオロ−２−ブテンとトランス−１，２−ジクロロエチレンとを含む組成物を利用するフラデッドエバポレーター冷却装置の一実施形態の略図である。
【図２】シス−１，１，１，４，４，４−ヘキサフルオロ−２−ブテンとトランス−１，２−ジクロロエチレンとを含む組成物を利用する直接膨張式冷却装置の一実施形態の略図である。
【発明を実施するための形態】
【００１２】
以下に説明される実施形態の詳細を述べる前に、幾つかの用語が定義されるかまたは明確にされる。
【００１３】
地球温暖化係数（ＧＷＰ）は、二酸化炭素の１キログラムの排出と比較して特定の温室効果ガスの１キログラムの大気排出による相対的な地球温暖化寄与を推定するための指数である。ＧＷＰは、所与のガスに関する大気寿命の影響を示して異なる対象期間について計算することができる。１００年対象期間についてのＧＷＰは一般に参考値である。
【００１４】
オゾン層破壊係数（ＯＤＰ）は、「Ｔｈｅ  Ｓｃｉｅｎｔｉｆｉｃ  Ａｓｓｅｓｓｍｅｎｔ  ｏｆ  Ｏｚｏｎｅ  Ｄｅｐｌｅｔｉｏｎ，２００２，Ａ  ｒｅｐｏｒｔ  ｏｆ  ｔｈｅ  Ｗｏｒｌｄ  Ｍｅｔｅｏｒｏｌｏｇｉｃａｌ  Ａｓｓｏｃｉａｔｉｏｎ’ｓ  Ｇｌｏｂａｌ  Ｏｚｏｎｅ  Ｒｅｓｅａｒｃｈ  ａｎｄ  Ｍｏｎｉｔｏｒｉｎｇ  Ｐｒｏｊｅｃｔ」、１．１．４節，頁１．２８−１．３１（この節の第１段落を参照されたい）に定義されている。ＯＤＰは、フルオロトリクロロメタン（ＣＦＣ−１１）と比べて質量−質量基準でみたときの、ある化合物から予期される成層圏でのオゾン層破壊の程度を表す。
【００１５】
冷凍能力（冷却能力と言われる場合もある）は、循環される冷媒の１ポンド当たりのエバポレーターにおける冷媒のエンタルピーの変化、すなわち、エバポレーターを出る冷媒の単位体積当たりエバポレーターで冷媒によって除去される熱（容積キャパシティ）を定義するための用語である。冷凍能力は、冷媒または伝熱組成物が冷却を行う能力の尺度である。それ故、この容積キャパシティが高ければ高いほど、行う冷却は大きい。冷却速度は、単位時間当たりにエバポレーターで冷媒によって除去される熱を意味する。
【００１６】
性能係数（ＣＯＰ）は、サイクルを運転するために入力される必要エネルギーで割った除熱量である。ＣＯＰが高ければ高いほど、エネルギー効率は高い。ＣＯＰは、エネルギー効率比（ＥＥＲ）、すなわち、内温および外温の特有のセットでの冷凍またはエアコン機器についての効率格付けに直接関係する。
【００１７】
本明細書で用いるところでは、伝熱システムは、伝熱組成物を利用する任意の冷凍システム、冷蔵庫、エアコンシステム、エアコン、ヒートポンプ、冷却装置などであってもよい。
【００１８】
本明細書で用いるところでは、伝熱組成物、伝熱流体または冷却媒体は、熱を熱源からヒートシンクに運ぶためにまたは冷却を冷却装置から冷却される本体に移すために使用される組成物を含む。
【００１９】
本明細書で用いるところでは、冷媒は、繰り返しサイクルの中で液体から蒸気へおよび蒸気から液体への相変化を受ける伝熱組成物として、サイクルで機能する化合物または化合物の混合物を含む。
【００２０】
可燃性は、着火するおよび／または火炎を伝播する組成物の能力を意味するために用いられる用語である。冷媒および他の伝熱組成物について、可燃性下限（「ＬＦＬ」）は、ＡＳＴＭ（米国材料試験協会（Ａｍｅｒｉｃａｎ  Ｓｏｃｉｅｔｙ  ｏｆ  Ｔｅｓｔｉｎｇ  ａｎｄ  Ｍａｔｅｒｉａｌｓ））Ｅ６８１−２００１に明記されている試験条件下に組成物と空気との均質な混合物を通して火炎を伝播することができる空気中の伝熱組成物の最低濃度である。可燃性上限（「ＵＦＬ」）は、ＡＳＴＭ  Ｅ-６８１によって測定されるような組成物と空気との均質な混合物を通して火炎を伝播することができる空気中の伝熱組成物の最高濃度である。可燃性および不燃性成分を含む混合物中の不燃性成分の含有率が増加するにつれて、ＬＦＬおよびＵＦＬは互いに近づく。混合物中の不燃性成分の含有率が臨界値に達するとき、混合物のＬＦＬおよびＵＦＬは等しくなる。臨界値より多くの不燃性成分を含有する組成物は不燃性である。単一成分冷媒または共沸冷媒ブレンドについては、組成は漏洩中に変わらず、それ故漏洩中の組成変化は、可燃性を決定する要因でない。多くの冷凍およびエアコン用途向けに、冷媒または作動流体は不燃性であることが要求される。
【００２１】
共沸組成物は、所与の圧力下に液体形態にあるときに、その温度が個々の成分の沸騰温度より高くてもまたは低くてもよい、実質的に一定の温度で沸騰し、そして沸騰を受けている全体液体組成物と本質的に同一の蒸気組成を提供するであろう２つ以上の異なる成分の混合物である（例えば、Ｍ．Ｆ．Ｄｏｈｅｒｔｙ  ａｎｄ  Ｍ．Ｆ．Ｍａｌｏｎｅ，Ｃｏｎｃｅｐｔｕａｌ  Ｄｅｓｉｇｎ  ｏｆ  Ｄｉｓｔｉｌｌａｔｉｏｎ  Ｓｙｓｔｅｍｓ，ＭｃＧｒａｗ−Ｈｉｌｌ（Ｎｅｗ  Ｙｏｒｋ），２００１，１８５−１８６，３５１−３５９を参照されたい）。
【００２２】
従って、共沸組成物の本質的な特徴は、所与の圧力で、液体組成物の沸点が固定されること、および沸騰している組成物の上方の蒸気の組成が本質的に沸騰している全体液体組成物のそれである（すなわち、液体組成物の成分の分別が全く起こらない）ことである。共沸組成物の各成分の沸点および重量百分率は両方とも、共沸組成物が異なる圧力で沸騰にさらされるときに変化する可能性があることが認められている。このように、共沸組成物は、成分の間に存在する、または成分の組成範囲の観点からもしくは指定圧力での一定の沸点で特徴づけられる組成物の各成分の厳密な重量百分率の観点から存在する独特の関係の観点から定義されてもよい。
【００２３】
本明細書で用いるところでは、共沸混合物様組成物は、共沸組成物のように本質的に挙動する（すなわち、定沸点特性または沸騰もしくは蒸発時に分別しない傾向を有する）組成物を意味する。それ故に、沸騰もしくは蒸発中に、蒸気および液体組成は、仮にそれらが変わるとしても、最小限のまたは無視できる程度に変わるにすぎない。これは、沸騰もしくは蒸発中に、蒸気および液体組成がかなりの程度に変わる非共沸混合物様組成物と対比されるべきである。
【００２４】
さらに、共沸混合物様組成物は、実質的に圧力差なしの露点圧力および沸点圧力を示す。すなわち、所与の温度での露点圧力および沸点圧力の差は小さい値であろう。本明細書に記載される組成物については、（沸点圧力を基準として）５パーセント以下の露点圧力および沸点圧力の差の組成物は、共沸混合物様であると考えられる。
【００２５】
非共沸組成物または非共沸混合物様組成物は、単一物質よりもむしろ混合物として挙動する２つ以上の物質の混合物である。非共沸組成物を特徴づける一方法は、液体の部分蒸発または蒸留によって生成する蒸気が、それが蒸発させられるまたは蒸留される液体とは実質的に異なる組成を有する、すなわち、混合物が実質的な組成変化ありで蒸留される／還流することである。非共沸組成物を特徴づける別の方法は、特定の温度での組成物の沸点蒸気圧および露点蒸気圧が実質的に異なることである。本明細書では、露点圧力および沸点圧力の差が（沸点圧力を基準として）５パーセント以上である場合、組成物は非共沸性である。
【００２６】
本明細書で用いるところでは、用語「含む（ｃｏｍｐｒｉｓｅｓ）」、「含む（ｃｏｍｐｒｉｓｉｎｇ）」、「含む（ｉｎｃｌｕｄｅｓ）」、「を含む（ｉｎｃｌｕｄｉｎｇ）」、「有する（ｈａｓ）」、「有する（ｈａｖｉｎｇ）」またはそれらの任意の他の変形は、非排他的な包含を網羅することが意図される。例えば、要素のリストを含むプロセス、方法、物品、もしくは装置は、それらの要素のみに必ずしも限定されず、明確にリストされないか、またはかかるプロセス、方法、物品、もしくは装置に固有である他の要素を含んでもよい。さらに、相反する記載がない限り、「または」は、包含的なまたはを意味し、排他的なまたはを意味しない。例えば、条件ＡまたはＢは、次のいずれか１つで満たされる：Ａは真であり（または存在し）かつＢは偽である（または存在しない）、Ａは偽であり（または存在せず）かつＢは真である（または存在する）、ならびにＡおよびＢの両方とも真である（または存在する）。
【００２７】
同様に、「ａ」または「ａｎ」の使用は、本明細書に記載される要素および成分を記載するために用いられる。これは、便宜上および本発明の範囲の一般的な意味を与えるために行われるにすぎない。この記載は、１つまたは少なくとも１つを包含すると読まれるべきであり、そして単数はまた、それが複数ではないことを意味することが明確でない限り複数を包含する。
【００２８】
特に明確にされない限り、本明細書に用いられるすべての技術的および科学的用語は、本発明が属する技術の当業者によって一般に理解されるものと同じ意味を有する。本明細書に記載されるものに類似のまたは均等の方法および材料を本発明の実施形態の実施または試験に用いることができるが、好適な方法および材料は以下に記載される。本明細書に言及されるすべての刊行物、特許出願、特許、および他の参考文献は、特に節が言及されない限り、全体が参照により援用される。矛盾が生じた場合には、定義をはじめとして、本明細書が優先される。加えて、材料、方法、および実施例は例示的であるにすぎず、限定的であることを意図されない。
【００２９】
本開示は、冷媒としてシス−１，１，１，４，４，４−ヘキサフルオロ−２−ブテンとトランス−１，２−ジクロロエチレンとを含む組成物を利用する冷却システムで冷却を行う方法を提供する。シス−１，１，１，４，４，４−ヘキサフルオロ−２−ブテンとトランス−１，２−ジクロロエチレンとを含むこの組成物は、所要のパラメータ（良好なエネルギー効率および妥当な冷却能力を意味する）内の冷却性能を冷却装置で提供すること、およびＧＷＰが低く、ＯＤＰが低いことが分かった。
【００３０】
組成物
シス−ＨＦＯ−１３３６ｍｚｚまたはＺ−ＨＦＯ−１３３６ｍｚｚとしても知られる、シス−１，１，１，４，４，４−ヘキサフルオロ−２−ブテンは、米国特許出願公開第２００９／００１２３３５  Ａ１号明細書に記載されているなどの、当該技術で公知の方法によって、２，３−ジクロロ−１，１，１，４，４，４−ヘキサフルオロ−２−ブテンの水素化脱塩素によって製造されてもよい。
【００３１】
ＨＦＯ−１３３６ｍｚｚは、２つの立体配置異性体、シス−およびトランス−の１つとして存在する。どちらかの「純」異性体の試料中には、あるレベルの他の異性体が存在するであろう。本明細書で用いるところでは、シス−ＨＦＯ−１３３６ｍｚｚは、純シス−異性体（Ｚ異性体）および組成物の残りの大部分がトランス−ＨＦＯ−１３３６ｍｚｚ（Ｅ異性体）を含む状態で、主としてシス−ＨＦＯ−１３３６ｍｚｚである２つの立体配置異性体の任意の混合物を意味することを意図される。主としてシス−ＨＦＯ−１３３６ｍｚｚである混合物とは、シス−ＨＦＯ−１３３６ｍｚｚが組成物の少なくとも５０重量パーセントとして存在する、シス−ＨＦＯ−１３３６ｍｚｚとトランス−ＨＦＯ−１３３６ｍｚｚとの混合物を意味する。純シス異性体と等価にまたは実質的に等価に冷却システム用途でそれが機能するように、本質的にシス異性体であるＨＦＯ−１３３６ｍｚｚが特に注目すべきである。
【００３２】
トランス−１，２−ＤＣＥとしても知られる、トランス−１，２−ジクロロエチレンは、多数の化学薬品供給業者、例えばＳｉｇｍａ−Ａｌｄｒｉｃｈ  Ｃｏｒｐ．（Ｓｔ．Ｌｏｕｉｓ，ＭＯ，ＵＳＡ）から入手可能である。トランス−１，２−ＤＣＥは、１，２−ジクロロエチレンの２つの異性体の１つであり、幾らかの量の他の異性体、シス−１，２−ジクロロエチレンを含有してもよい。本明細書で用いるところでは、トランス−１，２−ジクロロエチレンとは、少なくとも５０重量パーセントのトランス−１，２−ジクロロエチレンであるが、同様にシス−１，２−ジクロロエチレンをまた含有してもよい組成物を意味する。純トランス異性体と等価にまたは実質的に等価に冷却システム用途でそれが機能するように、本質的にトランス異性体である１，２−ジクロロエチレンが特に注目すべきである。
【００３３】
一実施形態では、エアコンまたは冷凍機器に使用するための組成物は、シス−ＨＦＯ−１３３６ｍｚｚとトランス−１，２−ジクロロエチレンとを含む。特定の実施形態では、この機器は冷却装置、フラデッドエバポレーター冷却装置か直接膨張式冷却装置かのどちらかであってもよい。別の実施形態では、組成物は、組成が少なくとも１０重量パーセントのシス−ＨＦＯ−１３３６ｍｚｚである、シス−ＨＦＯ−１３３６ｍｚｚとトランス−１，２−ジクロロエチレンとを含む。別の実施形態では、組成物は、組成が５０重量パーセント超のシス−ＨＦＯ−１３３６ｍｚｚである、シス−ＨＦＯ−１３３６ｍｚｚとトランス−１，２−ジクロロエチレンとを含む。別の実施形態では、組成物は、組成が５７．５重量パーセント超のシス−ＨＦＯ−１３３６ｍｚｚである、シス−ＨＦＯ−１３３６ｍｚｚとトランス−１，２−ジクロロエチレンとを含む。１，１，１，４，４，４−ヘキサフルオロ−２−ブテン（ＨＦＯ−１３３６ｍｚｚ）と１，２−ジクロロエチレンとから本質的になる組成物であって、１，１，１，４，４，４−ヘキサフルオロ−２−ブテンが本質的にシス−１，１，１，４，４，４−ヘキサフルオロ−２−ブテンであり、１，２−ジクロロエチレンが本質的にトランス−１，２−ジクロロエチレンであり、そしてシス−１，１，１，４，４，４−ヘキサフルオロ−２−ブテンが、１，１，１，４，４，４−ヘキサフルオロ−２−ブテンと１，２−ジクロロエチレンとの総重量を基準として５０重量パーセント〜約６０重量パーセント存在する組成物が特に注目すべきである。
【００３４】
幾つかの実施形態では、エアコンまたは冷凍機器、とりわけ、フラデッドエバポレーター冷却装置か直接膨張式冷却装置かのどちらかの、冷却装置で有用な、シス−ＨＦＯ−１３３６ｍｚｚとトランス−１，２−ジクロロエチレンとを含む組成物は、共沸または共沸混合物様である。一実施形態では、共沸または共沸混合物様組成物は、フラデッドエバポレーター冷却装置で特に有用である。
【００３５】
一実施形態では、共沸または共沸混合物様組成物は、約５５重量パーセント〜約９９重量パーセントのシス−ＨＦＯ−１３３６ｍｚｚと約４５重量パーセント〜約１重量パーセントのトランス−１，２−ジクロロエチレンとを含む。別の実施形態では、共沸または共沸混合物様組成物は、約６７重量パーセント〜約９９重量パーセントのシス−ＨＦＯ−１３３６ｍｚｚと約３３重量パーセント〜約１重量パーセントのトランス−１，２−ジクロロエチレンとを含む。別の実施形態では、共沸または共沸混合物様組成物は、約６７重量パーセント〜約８７重量パーセントのシス−ＨＦＯ−１３３６ｍｚｚと約３３重量パーセント〜約１３重量パーセントのトランス−１，２−ジクロロエチレンとを含む。
【００３６】
幾つかの実施形態では、シス−ＨＦＯ−１３３６ｍｚｚとトランス−１，２−ジクロロエチレンとを含む組成物は不燃性である。一実施形態では、冷却装置で有用なシス−ＨＦＯ−１３３６ｍｚｚとトランス−１，２−ジクロロエチレンとを含む組成物は、５０重量パーセント超のシス−ＨＦＯ−１３３６ｍｚｚを含む不燃性組成物である。別の実施形態では、冷却装置で有用である不燃性組成物は、５７．５重量パーセント超のシス−ＨＦＯ−１３３６ｍｚｚを含む。別の実施形態では、冷却装置で有用である不燃性組成物は、約５０重量パーセント〜約９９重量パーセントのシス−ＨＦＯ−１３３６ｍｚｚと約５０重量パーセント〜約１重量パーセントのトランス−１，２−ジクロロエチレンとを含む。別の実施形態では、冷却装置で有用な組成物は、約５８重量パーセント〜約９９重量パーセントのシス−ＨＦＯ−１３３６ｍｚｚと約４２重量パーセント〜約１重量パーセントのトランス−１，２−ジクロロエチレンとを含む不燃性組成物である。
【００３７】
一実施形態では、本明細書に開示されるようなシス−ＨＦＯ−１３３６ｍｚｚとトランス−１，２−ＤＣＥとを含む組成物は、湿気の除去に役立つための、乾燥剤と組み合わせて冷凍またはエアコン（冷却装置を含めて）で使用されてもよい。乾燥剤は、活性アルミナ、シリカゲル、またはゼオライト−ベースのモレキュラーシーブからなってもよい。代表的なモレキュラーシーブには、ＭＯＬＳＩＶ  ＸＨ−７、ＸＨ−６、ＸＨ−９およびＸＨ−１１（ＵＯＰ  ＬＬＣ（Ｄｅｓ  Ｐｌａｉｎｅｓ，ＩＬ））が含まれる。
【００３８】
一実施形態では、本明細書に開示されるようなシス−ＨＦＯ−１３３６ｍｚｚとトランス−１，２−ＤＣＥとを含む組成物は、ポリアルキレングリコール、ポリオールエステル、ポリビニルエーテル、鉱油、アルキルベンゼン、合成パラフィン、合成ナフテン、およびポリ（アルファ）オレフィンからなる群から選択される少なくとも１つの潤滑油と組み合わせて使用されてもよい。
【００３９】
幾つかの実施形態では、本明細書に開示されるような組成物と組み合わせて有用な潤滑油は、冷凍またはエアコン装置での使用に好適なものを含んでもよい。これらの潤滑油の中には、クロロフルオロカーボン冷媒を利用する蒸気圧縮冷凍装置に通常使用されるものがある。一実施形態では、潤滑油は、圧縮冷凍潤滑の分野で「鉱油」として一般に知られるものを含む。鉱油はパラフィン（すなわち、直鎖および分岐鎖炭素鎖、飽和炭化水素）、ナフテン（すなわち、環式パラフィン）ならびに芳香族化合物（すなわち、交互二重結合によって特徴づけられる１つまたは複数の環を含有する不飽和の環式炭化水素）を含む。一実施形態では、潤滑油は圧縮冷凍潤滑の分野で「合成油」として一般に知られるものを含む。合成油はアルキルアリール（すなわち線状および分枝状アルキルのアルキルベンゼン）、合成パラフィンおよびナフテン、ならびにポリ（アルファオレフィン）を含む。代表的な従来型潤滑油は、商業的に入手可能なＢＶＭ  １００Ｎ（ＢＶＡ  Ｏｉｌｓによって販売されるパラフィン系鉱油）、商標Ｓｕｎｉｓｏ（登録商標）３ＧＳおよびＳｕｎｉｓｏ（登録商標）５ＧＳでＣｒｏｍｐｔｏｎ  Ｃｏ．から商業的に入手可能なナフテン系鉱油、商標Ｓｏｎｔｅｘ（登録商標）３７２ＬＴでＰｅｎｎｚｏｉｌから商業的に入手可能なナフテン系鉱油、商標Ｃａｌｕｍｅｔ（登録商標）ＲＯ−３０でＣａｌｕｍｅｔ  Ｌｕｂｒｉｃａｎｔｓから商業的に入手可能なナフテン系鉱油、商標Ｚｅｒｏｌ（登録商標）７５、Ｚｅｒｏｌ（登録商標）１５０およびＺｅｒｏｌ（登録商標）５００でＳｈｒｉｅｖｅ  Ｃｈｅｍｉｃａｌｓから商業的に入手可能な線状アルキルベンゼン、ならびにＨＡＢ２２（新日本石油株式会社によって販売される分枝状アルキルベンゼン）である。
【００４０】
別の実施形態では、潤滑油はハイドロフルオロカーボン冷媒と一緒の使用をデザインされたものをまた含んでもよく、圧縮冷凍およびエアコン装置の運転条件下で本発明の冷媒と混和性である。かかる潤滑油には、Ｃａｓｔｒｏｌ（登録商標）１００（Ｃａｓｔｒｏｌ、Ｕｎｉｔｅｄ  Ｋｉｎｇｄｏｍ）などのポリオールエステル（ＰＯＥ）、Ｄｏｗ（Ｄｏｗ  Ｃｈｅｍｉｃａｌ，Ｍｉｄｌａｎｄ，Ｍｉｃｈｉｇａｎ））製のＲＬ−４８８Ａなどのポリアルキレングリコール（ＰＡＧ）、ポリビニルエーテル（ＰＶＥ）ならびにポリカーボネート（ＰＣ）が含まれるが、それらに限定されない。
【００４１】
シス−ＨＦＯ−１３３６ｍｚｚとトランス−１，２−ＤＣＥとを含む組成物と共に使用される潤滑油は、所与の圧縮機の要件および潤滑油が曝されるであろう環境を考慮することによって選択される。
【００４２】
一実施形態では、本明細書に開示されるようなシス−ＨＦＯ−１３３６ｍｚｚとトランス−１，２−ＤＣＥとを含む組成物は、相溶化剤、ＵＶ染料、可溶化剤、トレーサー、安定剤、パーフルオロポリエーテル（ＰＦＰＥ）、および官能化パーフルオロポリエーテルからなる群から選択された添加剤をさらに含んでもよい。
【００４３】
一実施形態では、組成物は、約０．０１重量パーセント〜約５重量パーセントの安定剤、フリーラジカル捕捉剤または酸化防止剤と共に使用されてもよい。かかる他の添加剤には、ニトロメタン、ヒンダードフェノール、ヒドロキシルアミン、チオール、ホスファイト、またはラクトンが含まれるが、それらに限定されない。単一の添加剤または組み合わせが使用されてもよい。
【００４４】
場合により、別の実施形態では、ある種の冷凍またはエアコンシステム添加剤が、性能およびシステム安定性を高めるためにシス−ＨＦＯ−１３３６ｍｚｚとトランス−１，２−ＤＣＥとを含む組成物に、要望通り、添加されてもよい。これらの添加剤は、冷凍およびエアコンの分野で公知であり、摩耗防止剤、極圧潤滑油、腐食および酸化防止剤、金属表面不活性化剤、フリーラジカル捕捉剤、および泡制御剤を含むが、それらに限定されない。一般に、これらの添加剤は、全体組成物に対して少量で本発明組成物中に存在してもよい。典型的には、約０．１重量パーセント未満から約３重量パーセントほどに多い濃度の各添加剤が使用される。これらの添加剤は、個々のシステム要件に基づいて選択される。これらの添加剤には、トリアリールホスフェートの系統、ブチル化トリフェニルホスフェート（ＢＴＰＰ）、または他のアルキル化トリアリールホスフェートエステル、例えば、Ａｋｚｏ  Ｃｈｅｍｉｃａｌｓ製のＳｙｎ−０−Ａｄ  ８４７８、トリクレジルホスフェートおよび関連化合物などの、ＥＰ（極圧）潤滑性添加剤の系統が含まれる。さらに、金属ジアルキルジチオホスフェート（例えばジチオリン酸ジアルキル亜鉛またはＺＤＤＰ、Ｌｕｂｒｉｚｏｌ  １３７５およびこの族の化学薬品の他のメンバーが本発明の組成物に使用されてもよい。他の耐摩耗性添加剤には、天然物油、およびＳｙｎｅｒｇｏｌ  ＴＭＳ（Ｉｎｔｅｒｎａｔｉｏｎａｌ  Ｌｕｂｒｉｃａｎｔｓ）などの非対称ポリヒドロキシル潤滑添加剤が含まれる。同様に、酸化防止剤、フリーラジカル捕捉剤、および水捕捉剤などの安定剤が用いられてもよい。このカテゴリーの化合物には、ブチル化ヒドロキシトルエン（ＢＨＴ）、エポキシドおよびそれらの混合物が含まれ得るが、それらに限定されない。腐食防止剤には、ドデシルコハク酸（ＤＤＳＡ）、アミンホスフェート（ＡＰ）、オレイルサルコシン、イミダゾン誘導体および置換スルホネートが含まれる。金属表面不活性化剤には、アレオキサリル（ａｒｅｏｘａｌｙｌ）ビス（ベンジリデン）ヒドラジド（ＣＡＳ登録番号６６２９−１０−３）、Ｎ，Ｎ’−ビス（３，５−ジ−第三ブチル−４−ヒドロキシヒドロシンナモイルヒドラジン（ＣＡＳ登録番号３２６８７−７８−８）、２，２’−オキサミドビス−エチル−（３，５−ジ−第三ブチル−４−ヒドロキシヒドロシンナメート（ＣＡＳ登録番号７０３３１−９４−１）、Ｎ，Ｎ’−（ジサリシリデン）−１，２−ジアミノプロパン（ＣＡＳ登録番号９４−９１−７）ならびにエチレンジアミン四酢酸（ＣＡＳ登録番号６０−００−４）およびその塩、ならびにそれの混合物が含まれる。
【００４５】
別の実施形態では、追加の添加剤には、ヒンダードフェノール、チオホスフェート、ブチル化トリフェニルホスホロチオネート、オルガノホスフェート、またはホスファイト、アリールアルキルエーテル、テルペン、テルペノイド、エポキシド、フッ素化エポキシド、オキセタン、アスコルビン酸、チオール、ラクトン、チオエーテル、アミン、ニトロメタン、アルキルシラン、ベンゾフェノン誘導体、アリールスルフィド、ジビニルテレフタル酸、ジフェニルテレフタル酸、イオン液体、およびそれらの混合物からなる群から選択された少なくとも１つの化合物を含む安定剤が含まれる。代表的な安定剤化合物には、トコフェロール；ヒドロキノン；ｔ−ブチルヒドロキノン；モノチオホスフェート；および、商標Ｉｒｇａｌｕｂｅ（登録商標）６３でＣｉｂａ  Ｓｐｅｃｉａｌｔｙ  Ｃｈｅｍｉｃａｌｓ（Ｂａｓｅｌ，Ｓｗｉｔｚｅｒｌａｎｄ）、本明細書では以下「Ｃｉｂａ」から商業的に入手可能な、ジチオホスフェート；それぞれ、商標Ｉｒｇａｌｕｂｅ（登録商標）３５３およびＩｒｇａｌｕｂｅ（登録商標）３５０でＣｉｂａから商業的に入手可能な、ジアルキルチオホスフェートエステル；商標Ｉｒｇａｌｕｂｅ（登録商標）２３２でＣｉｂａから商業的に入手可能な、ブチル化トリフェニルホスホロチオネート；商標Ｉｒｇａｌｕｂｅ（登録商標）３４９（Ｃｉｂａ）でＣｉｂａから商業的に入手可能な、アミンホスフェート；Ｉｒｇａｆｏｓ（登録商標）１６８としてＣｉｂａから商業的に入手可能な、ヒンダードホスファイト；商標Ｉｒｇａｆｏｓ（登録商標）ＯＰＨでＣｉｂａから商業的に入手可能な、トリス−（ジ−第三ブチルフェニル）などのホスフェート；（ジ−ｎ−オクチルホスファイト）；および商標Ｉｒｇａｆｏｓ（登録商標）ＤＤＰＰでＣｉｂａから商業的に入手可能な、イソ−デシルジフェニルホスファイト；アニソール；１，４−ジメトキシベンゼン；１，４−ジエトキシベンゼン；１，３，５−トリメトキシベンゼン；ｄ−リモネン；レチナール；ピネン；メントール；ビタミンＡ；テルピネン；ジペンテン；リコピン；ベータカロテン；ボルナン；１，２−プロピレンオキシド；１，２−ブチレンオキシド；ｎ−ブチルグリシジルエーテル；トリフルオロメチルオキシラン；１，１−ビス（トリフルオロメチル）オキシラン；ＯＸＴ−１０１（東亜合成株式会社）などの、３−エチル−３−ヒドロキシメチル−オキセタン；ＯＸＴ−２１１（東亞合成株式会社）などの、３−エチル−３−（（フェノキシ）メチル）−オキセタン；ＯＸＴ−２１２（東亞合成株式会社）などの、３−エチル−３−（（２−エチル−ヘキシルオキシ）メチル）−オキセタン；アスコルビン酸；メタンチオール（メチルメルカプタン）；エタンチオール（エチルメルカプタン）；補酵素Ａ；ジメルカプトコハク酸（ＤＭＳＡ）；グレープフルーツメルカプタン（（Ｒ）−２−（４−メチル−３−シクロヘキセニル）プロパン−２−チオール））；システイン（（Ｒ）−２−アミノ−３−スルファニル−プロパン酸）；リポアミド（１，２−ジチオラン−３−ペンタンアミド）；商標Ｉｒｇａｎｏｘ（登録商標）ＨＰ−１３６でＣｉｂａから商業的に入手可能な、５，７−ビス（１，１−ジメチルエチル）−��−［２，３（または３，４）−ジメチルフェニル］−２（３Ｈ）−ベンゾフラノン；ベンジルフェニルスルフィド；ジフェニルスルフィド；ジイソプロピルアミン；商標Ｉｒｇａｎｏｘ（登録商標）ＰＳ  ８０２（Ｃｉｂａ）でＣｉｂａから商業的に入手可能な、ジオクタデシル３，３’−チオジプロピオネート；商標Ｉｒｇａｎｏｘ（登録商標）ＰＳ  ８００でＣｉｂａから商業的に入手可能な、ジドデシル３，３’−チオプロピオネート；商標Ｔｉｎｕｖｉｎ（登録商標）７７０でＣｉｂａから商業的に入手可能な、ジ−（２，２，６，６−テトラメチル−４−ピペリジル）セバケート；商標Ｔｉｎｕｖｉｎ（登録商標）６２２ＬＤ（Ｃｉｂａ）でＣｉｂａから商業的に入手可能な、ポリ−（Ｎ−ヒドロキシエチル−２，２，６，６−テトラメチル−４−ヒドロキシ−ピペリジルスクシネート；メチルビスタローアミン；ビスタローアミン；フェノール−アルファ−ナフチルアミン；ビス（ジメチルアミノ）メチルシラン（ＤＭＡＭＳ）；トリス（トリメチルシリル）シラン（ＴＴＭＳＳ）；ビニルトリエトキシシラン；ビニルトリメトキシシラン；２，５−ジフルオロベンゾフェノン；２’，５’−ジヒドロキシアセトフェノン；２−アミノベンゾフェノン；２−クロロベンゾフェノン；ベンジルフェニルスルフィド；ジフェニルスルフィド；ジベンジルスルフィド；イオン液体などが含まれるが、それらに限定されない。
【００４６】
一実施形態では、イオン液体安定剤は、少なくとも１つのイオン液体を含む。イオン液体は、液体であるかまたは１００℃より下の融点を有する有機塩である。別の実施形態では、イオン液体安定剤は、ピリジニウム、ピリダジニウム、ピリミジニウム、ピラジニウム、イミダゾリウム、ピラゾリウム、チアゾリウム、オキサゾリウムおよびトリアゾリウムからなる群から選択された陽イオンと；［ＢＦ４］−、［ＰＦ６］−、［ＳｂＦ６］−、［ＣＦ３ＳＯ３］−、［ＨＣＦ２ＣＦ２ＳＯ３］−、［ＣＦ３ＨＦＣＣＦ２ＳＯ３］−、［ＨＣＣｌＦＣＦ２ＳＯ３］−、［（ＣＦ３ＳＯ２）２Ｎ］−、［（ＣＦ３ＣＦ２ＳＯ２）２Ｎ］−、［（ＣＦ３ＳＯ２）３Ｃ］−、［ＣＦ３ＣＯ２］−、およびＦ−からなる群から選択された陰イオンとを含有する塩を含む。代表的なイオン液体安定剤には、それらのすべてがＦｌｕｋａ（Ｓｉｇｍａ−Ａｌｄｒｉｃｈ）から入手可能である、ｅｍｉｍ
ＢＦ４（１−エチル−３−メチルイミダゾリウムテトラフルオロボレート）；ｂｍｉｍ
ＢＦ４（１−ブチル−３−メチルイミダゾリウムテトラフルオロボレート）；ｅｍｉｍ
ＰＦ６（１−エチル−３−メチルイミダゾリウムヘキサフルオロホスフェート）；およびｂｍｉｍ  ＰＦ６（１−ブチル−３−メチルイミダゾリウムヘキサフルオロホスフェート）が含まれる。
【００４７】
一実施形態では、本明細書に開示されるようなシス−ＨＦＯ−１３３６ｍｚｚとトランス−１，２−ＤＣＥとを含む組成物は、パーフルオロポリエーテル添加剤と共に使用されてもよい。パーフルオロポリエーテルの共通の特性は、パーフルオロアルキルエーテル部分の存在である。パーフルオロポリエーテルは、パーフルオロポリアルキルエーテルと同義語である。頻繁に用いられる他の同義語には、「ＰＦＰＥ」、「ＰＦＡＥ」、「ＰＦＰＥオイル」、「ＰＦＰＥ流体」、および「ＰＦＰＡＥ」が含まれる。例えば、ＣＦ３−（ＣＦ２）２−Ｏ−［ＣＦ（ＣＦ３）−ＣＦ２−Ｏ］ｊ’−Ｒ’ｆの式を有するパーフルオロポリエーテルは、商標Ｋｒｙｔｏｘ（登録商標）でＤｕＰｏｎｔから商業的に入手可能である。この式中、ｊ’は２〜１００（両端を含む）であり、Ｒ’ｆはＣＦ２ＣＦ３、Ｃ３〜Ｃ６パーフルオロアルキル基であるか、またはそれらの組み合わせである。
【００４８】
商標Ｆｏｍｂｌｉｎ（登録商標）およびＧａｌｄｅｎ（登録商標）でＡｕｓｉｍｏｎｔ（Ｍｉｌａｎ，Ｉｔａｌｙ）から商業的に入手可能な、パーフルオロオレフィン光酸化によって製造された、他のＰＦＰＥもまた使用することができる。商標Ｆｏｍｂｌｉｎ（登録商標）−Ｙで商業的に入手可能なＰＦＰＥは、ＣＦ３Ｏ（ＣＦ２ＣＦ（ＣＦ３）−Ｏ−）ｍ’（ＣＦ２−Ｏ−）ｎ’−Ｒ１ｆの式を有することができる。ＣＦ３Ｏ［ＣＦ２ＣＦ（ＣＦ３）Ｏ］ｍ’（ＣＦ２ＣＦ２Ｏ）ｏ’（ＣＦ２Ｏ）ｎ’−Ｒ１ｆもまた好適である。この式中、Ｒ１ｆはＣＦ３、Ｃ２Ｆ５、Ｃ３Ｆ７、またはそれらの２つ以上の組み合わせであり；（ｍ’＋ｎ’）は、８〜４５（両端を含む）であり；ｍ／ｎは、２０〜１０００（両端を含む）であり；ｏ’は１であり；（ｍ’＋ｎ’＋ｏ’）は、８〜４５（両端を含む）であり；ｍ’／ｎ’は、２０〜１０００（両端を含む）である。
【００４９】
商標Ｆｏｍｂｌｉｎ（登録商標）−Ｚで商業的に入手可能なＰＦＰＥは、ＣＦ３Ｏ（ＣＦ２ＣＦ２−Ｏ−）ｐ’（ＣＦ２−Ｏ）ｑ’ＣＦ３（式中、（ｐ’＋ｑ’）は４０〜１８０であり、ｐ’／ｑ’は０．５〜２である（両端を含む））の式を有することができる。
【００５０】
ダイキン工業株式会社（日本）から商標ＤｅｍｎｕｍＴＭで商業的に入手可能な、別の系統のＰＦＰＥもまた使用することができる。それは、２，２，３，３−テトラフルオロオキセタンの順次オリゴマー化およびフッ素化によって製造することができ、Ｆ−［（ＣＦ２）３−Ｏ］ｔ’−Ｒ２ｆ（式中、Ｒ２ｆはＣＦ３、Ｃ２Ｆ５、またはそれらの組み合わせであり、ｔ’は、２〜２００（両端を含む）である）の式をもたらす。
【００５１】
パーフルオロポリエーテルの２つの末端基は、独立して、官能化されているかまたは官能化されていないものであることができる。官能化されていないパーフルオロポリエーテルでは、末端基は、分岐鎖かまたは直鎖のパーフルオロアルキルラジカル末端基であることができる。かかるパーフルオロポリエーテルの例は、Ｃｒ’Ｆ（２ｒ’＋１）−Ａ−Ｃｒ’Ｆ（２ｒ’＋１）（式中、各ｒ’は独立して３〜６であり；Ａは、Ｏ−（ＣＦ（ＣＦ３）ＣＦ２−Ｏ）ｗ’、Ｏ−（ＣＦ２−Ｏ）ｘ’（ＣＦ２ＣＦ２−Ｏ）ｙ’、Ｏ−（Ｃ２Ｆ４−Ｏ）ｗ’、Ｏ−（Ｃ２Ｆ４−Ｏ）ｘ’（Ｃ３Ｆ６−Ｏ）ｙ’、Ｏ−（ＣＦ（ＣＦ３）ＣＦ２−Ｏ）ｘ’（ＣＦ２−Ｏ）ｙ’、Ｏ−（ＣＦ２ＣＦ２ＣＦ２−Ｏ）ｗ’、Ｏ−（ＣＦ（ＣＦ３）ＣＦ２−Ｏ）ｘ’（ＣＦ２ＣＦ２−Ｏ）ｙ’−（ＣＦ２−Ｏ）ｚ’、またはそれらの２つ以上の組み合わせであることができ；好ましくはＡはＯ−（ＣＦ（ＣＦ３）ＣＦ２−Ｏ）ｗ’、Ｏ−（Ｃ２Ｆ４−Ｏ）ｗ’、Ｏ−（Ｃ２Ｆ４−Ｏ）ｘ’（Ｃ３Ｆ６−Ｏ）ｙ’、Ｏ−（ＣＦ２ＣＦ２ＣＦ２−Ｏ）ｗ’、またはそれらの２つ以上の組み合わせであり；ｗ’は４〜１００であり；ｘ’およびｙ’はそれぞれ独立して１〜１００である）の式を有することができる。具体的な例には、Ｆ（ＣＦ（ＣＦ３）−ＣＦ２−Ｏ）９−ＣＦ２ＣＦ３、Ｆ（ＣＦ（ＣＦ３）−ＣＦ２−Ｏ）９−ＣＦ（ＣＦ３）２、およびそれらの組み合わせが含まれるが、それらに限定されない。かかるＰＦＰＥでは、３０％以下のハロゲン原子は、例えば、塩素原子などの、フッ素以外のハロゲンであることができる。
【００５２】
パーフルオロポリエーテルの２つの末端基はまた、独立して、官能化されていることができる。典型的な官能化末端基は、エステル、ヒドロキシル、アミン、アミド、シアノ、カルボン酸およびスルホン酸からなる群から選択することができる。
【００５３】
代表的なエステル末端基には、−ＣＯＯＣＨ３、−ＣＯＯＣＨ２ＣＨ３、−ＣＦ２ＣＯＯＣＨ３、−ＣＦ２ＣＯＯＣＨ２ＣＨ３、−ＣＦ２ＣＦ２ＣＯＯＣＨ３、−ＣＦ２ＣＦ２ＣＯＯＣＨ２ＣＨ３、−ＣＦ２ＣＨ２ＣＯＯＣＨ３、−ＣＦ２ＣＦ２ＣＨ２ＣＯＯＣＨ３、−ＣＦ２ＣＨ２ＣＨ２ＣＯＯＣＨ３、−ＣＦ２ＣＦ２ＣＨ２ＣＨ２ＣＯＯＣＨ３が含まれる。
【００５４】
代表的なヒドロキシル末端基には、−ＣＦ２ＯＨ、−ＣＦ２ＣＦ２ＯＨ、−ＣＦ２ＣＨ２ＯＨ、−ＣＦ２ＣＦ２ＣＨ２ＯＨ、−ＣＦ２ＣＨ２ＣＨ２ＯＨ、−ＣＦ２ＣＦ２ＣＨ２ＣＨ２ＯＨが含まれる。
【００５５】
代表的なアミン末端基には、−ＣＦ２ＮＲ１Ｒ２、−ＣＦ２ＣＦ２ＮＲ１Ｒ２、−ＣＦ２ＣＨ２ＮＲ１Ｒ２、−ＣＦ２ＣＦ２ＣＨ２ＮＲ１Ｒ２、−ＣＦ２ＣＨ２ＣＨ２ＮＲ１Ｒ２、−ＣＦ２ＣＦ２ＣＨ２ＣＨ２ＮＲ１Ｒ２（式中、Ｒ１およびＲ２は独立して、Ｈ、ＣＨ３、またはＣＨ２ＣＨ３である）が含まれる。
【００５６】
代表的なアミド末端基には、−ＣＦ２Ｃ（Ｏ）ＮＲ１Ｒ２、−ＣＦ２ＣＦ２Ｃ（Ｏ）ＮＲ１Ｒ２、−ＣＦ２ＣＨ２Ｃ（Ｏ）ＮＲ１Ｒ２、−ＣＦ２ＣＦ２ＣＨ２Ｃ（Ｏ）ＮＲ１Ｒ２、−ＣＦ２ＣＨ２ＣＨ２Ｃ（Ｏ）ＮＲ１Ｒ２、−ＣＦ２ＣＦ２ＣＨ２ＣＨ２Ｃ（Ｏ）ＮＲ１Ｒ２（式中、Ｒ１およびＲ２は独立して、Ｈ、ＣＨ３、またはＣＨ２ＣＨ３である）が含まれる。
【００５７】
代表的なシアノ末端基には、−ＣＦ２ＣＮ、−ＣＦ２ＣＦ２ＣＮ、−ＣＦ２ＣＨ２ＣＮ、−ＣＦ２ＣＦ２ＣＨ２ＣＮ、−ＣＦ２ＣＨ２ＣＨ２ＣＮ、−ＣＦ２ＣＦ２ＣＨ２ＣＨ２ＣＮが含まれる。
【００５８】
代表的なカルボン酸末端基には、−ＣＦ２ＣＯＯＨ、−ＣＦ２ＣＦ２ＣＯＯＨ、−ＣＦ２ＣＨ２ＣＯＯＨ、−ＣＦ２ＣＦ２ＣＨ２ＣＯＯＨ、−ＣＦ２ＣＨ２ＣＨ２ＣＯＯＨ、−ＣＦ２ＣＦ２ＣＨ２ＣＨ２ＣＯＯＨが含まれる。
【００５９】
代表的なスルホン酸末端基には、−Ｓ（Ｏ）（Ｏ）ＯＲ３、−Ｓ（Ｏ）（Ｏ）Ｒ４、−ＣＦ２ＯＳ（Ｏ）（Ｏ）ＯＲ３、−ＣＦ２ＣＦ２ＯＳ（Ｏ）（Ｏ）ＯＲ３、−ＣＦ２ＣＨ２ＯＳ（Ｏ）（Ｏ）ＯＲ３、−ＣＦ２ＣＦ２ＣＨ２ＯＳ（Ｏ）（Ｏ）ＯＲ３、−ＣＦ２ＣＨ２ＣＨ２ＯＳ（Ｏ）（Ｏ）ＯＲ３、−ＣＦ２ＣＦ２ＣＨ２ＣＨ２ＯＳ（Ｏ）（Ｏ）ＯＲ３、−ＣＦ２Ｓ（Ｏ）（Ｏ）ＯＲ３、−ＣＦ２ＣＦ２Ｓ（Ｏ）（Ｏ）ＯＲ３、−ＣＦ２ＣＨ２Ｓ（Ｏ）（Ｏ）ＯＲ３、−ＣＦ２ＣＦ２ＣＨ２Ｓ（Ｏ）（Ｏ）ＯＲ３、−ＣＦ２ＣＨ２ＣＨ２Ｓ（Ｏ）（Ｏ）ＯＲ３、−ＣＦ２ＣＦ２ＣＨ２ＣＨ２Ｓ（Ｏ）（Ｏ）ＯＲ３、−ＣＦ２ＯＳ（Ｏ）（Ｏ）Ｒ４、−ＣＦ２ＣＦ２ＯＳ（Ｏ）（Ｏ）Ｒ４、−ＣＦ２ＣＨ２ＯＳ（Ｏ）（Ｏ）Ｒ４、−ＣＦ２ＣＦ２ＣＨ２ＯＳ（Ｏ）（Ｏ）Ｒ４、−ＣＦ２ＣＨ２ＣＨ２ＯＳ（Ｏ）（Ｏ）Ｒ４、−ＣＦ２ＣＦ２ＣＨ２ＣＨ２ＯＳ（Ｏ）（Ｏ）Ｒ４（式中、Ｒ３はＨ、ＣＨ３、ＣＨ２ＣＨ３、ＣＨ２ＣＦ３、ＣＦ３、またはＣＦ２ＣＦ３であり、Ｒ４はＣＨ３、ＣＨ２ＣＨ３、ＣＨ２ＣＦ３、ＣＦ３、またはＣＦ２ＣＦ３であり、Ｒ４はＣＨ３、ＣＨ２ＣＨ３、ＣＨ２ＣＦ３、ＣＦ３、またはＣＦ２ＣＦ３である）が含まれる。
【００６０】
装置
一実施形態では、シス−ＨＦＯ−１３３６ｍｚｚとトランス−１，２−ＤＣＥとを含む組成物を含有するエアコンまたは冷凍装置が提供される。かかる装置は、２００８年１２月２５日に公開された、米国特許出願公開第２００８／０３１４０７３号明細書に開示されているものなどの、閉ループ式伝熱システムであってもよい。
【００６１】
冷却装置
本発明の一実施形態では、１，１，１，４，４，４−ヘキサフルオロ−２−ブテンと１，２−ジクロロエチレンとを含む組成物を含有する冷却装置であって、１，１，１，４，４，４−ヘキサフルオロ−２−ブテンがシス異性体または主としてシス異性体であり、１，２−ジクロロエチレンがトランス異性体または主としてトランスである冷却装置が提供される。
【００６２】
一実施形態では、シス−ＨＦＯ−１３３６ｍｚｚとトランス−１，２−ＤＣＥとを含む組成物を含有するエアコンまたは冷凍装置は冷却装置である。冷却装置は、エアコン／冷凍装置のタイプである。本開示は、蒸気圧縮冷却装置に関する。かかる蒸気圧縮冷却装置は、その一実施形態が図１に示される、フラデッドエバポレーター冷却装置、またはその一実施形態が図２に示される、直接膨張式冷却装置のどちらかであってもよい。フラデッドエバポレーター冷却装置および直接膨張式冷却装置の両方とも、空冷式かまたは水冷式であってもよい。冷却装置が水冷式である実施形態では、かかる冷却装置は、システムからの放熱のための冷却塔と一般に関係がある。冷却装置が空冷式である実施形態では、冷却装置は、システムから熱を放出するための冷媒−空気フィン付き−チューブ（ｒｅｆｒｉｇｅｒａｎｔ−ｔｏ−ａｉｒ  ｆｉｎｎｅｄ−ｔｕｂｅ）凝縮器コイルおよびファンを備え付けている。空冷式冷却システムは一般に、冷却塔と水ポンプとを含む等価能力の水冷式冷却システムよりコストがかからない。しかしながら、水冷システムは、凝縮温度がより低いために多くの運転条件下でより効率的であり得る。
【００６３】
フラデッドエバポレーター冷却装置および直接膨張式冷却装置の両方を含む冷却装置は、ホテル、オフィスビル、病院、大学などを含む大きな商業ビルに快適な空調（空気の冷却および除湿）を提供するために、空気処理および分配システムと結合されてもよい。別の実施形態では、冷却装置、最も可能性が高い空冷式の直接膨張式冷却装置は、海軍潜水艦および水上艦で追加の実用性を見いだしてきた。
【００６４】
冷却装置の運転方法を例示するために、図を参照する。水冷式フラデッドエバポレーター冷却装置が図１に例示される。この冷却装置では、水、および、幾つかの実施形態では、グリコール（例えば、エチレングリコールまたはプロピレングリコール）などの、添加物を含む、暖かい液体である第１冷却媒体は、入口および出口を有するエバポレーター６のコイル９を通って、矢印３で入るように示されるビル冷却システムなどの冷却システムから冷却装置に入る。暖かい第１冷却媒体はエバポレーターに配送され、そこでエバポレーターの下方部分に示される液体冷媒によって冷却される。液体冷媒は、コイル９を通って流れる暖かい第１冷却媒体よりも低い温度で蒸発する。冷却された第１冷却媒体は、コイル９のリターン部分を経て矢印４で示されるように、ビル冷却システムへ逆再循環する。図１のエバポレーター６の下方部分に示される液体冷媒は蒸発し、圧縮機７に吸い込まれ、圧縮機は冷媒蒸気の圧力および温度を高める。圧縮機は、冷媒蒸気が、エバポレーターから出るときの冷媒蒸気の圧力および温度よりも高い圧力および温度で、凝縮器５中で凝縮できるようにこの蒸気を圧縮する。水冷式冷却装置の場合には液体である、第２冷却媒体は、冷却塔から凝縮器５のコイル１０を経て図１の矢印１で凝縮器に入る。第２冷却媒体はこのプロセスで暖められ、コイル１０のリターンループおよび矢印２を経て冷却塔にまたは環境に戻される。この第２冷却媒体は、凝縮器で蒸気を冷却し、蒸気を液体冷媒に凝縮させ、その結果図１に示されるように凝縮器の下方部分には液体冷媒がある。凝縮器中の凝縮した液体冷媒は、オリフィス、毛細管または膨張弁であってもよい、膨張デバイス８を通ってエバポレーターへ逆流する。膨張デバイス８は液体冷媒の圧力を低下させ、液体冷媒を部分的に蒸気に変換する、すなわち、液体冷媒は、圧力が凝縮器とエバポレーターとの間で降下するにつれてフラッシュする。フラッシングは冷媒、すなわち、液体冷媒および冷媒蒸気の両方をエバポレーター圧力での飽和温度に冷却し、その結果、液体冷媒および冷媒蒸気の両方がエバポレーター中に存在する。
【００６５】
単一成分冷媒組成物については、エバポレーターでの蒸気冷媒の組成は、エバポレーターでの液体冷媒の組成と同じものであることが指摘されるべきである。この場合には、蒸発は一定温度で起こるであろう。しかしながら、本発明でのように、冷媒ブレンド（または混合物）が使用される場合、エバポレーターでの（または凝縮器での）液体冷媒および冷媒蒸気は異なる組成を有するかもしれない。これは、機器を運転するのに不十分なシステムおよび困難をもたらす可能性があり、従って単一成分冷媒がより望ましい。共沸混合物または共沸混合物様組成物は、液体組成および蒸気組成が非共沸または非共沸混合物様組成物の使用から生じる可能性があるいかなる非能率をも低減する本質的に同じものであるように、冷却装置で単一成分冷媒として本質的に機能するであろう。
【００６６】
７００ｋＷを超える冷却能力の冷却装置は一般に、エバポレーターおよび凝縮器中の冷媒が冷却媒体用のコイルまたは他の導管を取り囲む（すなわち、冷媒がシェル側にある）フラデッドエバポレーターを用いる。フラデッドエバポレーターは、冷媒をより多く装填する必要があるが、より近いアプローチ温度およびより高い効率を可能にする。７００ｋＷ未満の能力の冷却装置は普通、冷媒がチューブの内側を流れるエバポレーターと、チューブを取り囲む、すなわち、冷却媒体がシェル側にある、エバポレーターおよび凝縮器中の冷却媒体とを用いる。かかる冷却装置は直接膨張式（ＤＸ）冷却装置と呼ばれる。水冷式の直接膨張式冷却装置の一実施形態が図２に例示される。図２に例示されるような冷却装置では、暖水などの、暖かい液体である第１液体冷却媒体が入口１４でエバポレーター６’に入る。（少量の冷媒蒸気と共に）ほとんど液体の冷媒が矢印３’でエバポレーターのコイル９’に入り、蒸発し、蒸気に変わる。結果として、第１液体冷却媒体はエバポレーターで冷却され、冷却された第１液体冷却媒体は出口１６でエバポレーターを出て、ビルなどの、冷却される本体に送られる。図２のこの実施形態では、ビルまたは他の冷却される本体を冷却するのは、この冷却された第１液体冷却媒体である。冷媒蒸気は、矢印４’でエバポレーターを出て、圧縮機７’に送られ、そこでそれは圧縮され、高温、高圧冷媒蒸気として出る。この冷媒蒸気は、１’で凝縮器コイル１０’を通って凝縮器５’に入る。冷媒蒸気は、凝縮器で、水などの第２液体冷却媒体によって冷却され、液体になる。第２液体冷却媒体は、凝縮器冷却媒体入口２０を通って凝縮器に入る。第２液体冷却媒体は、凝縮する冷媒蒸気から熱を抽出し、冷媒蒸気は液体冷媒になり、これは第２液体冷却媒体を凝縮器で暖める。第２液体冷却媒体は凝縮器を通って凝縮器冷却媒体出口１８を通って出る。凝縮した冷媒液体は、図２に示されるように下方コイル１０’を通って凝縮器を出て、オリフィス、毛細管または膨張弁であってもよい、膨張デバイス１２を通って流れる。膨張デバイス１２は液体冷媒の圧力を低下させる。膨張の結果生成した、少量の蒸気は、コイル９’を通って液体冷媒と共にエバポレーターに入り、このサイクルが繰り返される。
【００６７】
蒸気−圧縮冷却装置は、それらが用いる圧縮機のタイプによって特定されてもよい。一実施態様では、シス−ＨＦＯ−１３３６ｍｚｚとトランス−１，２−ＤＣＥとを含む組成物は、以下に記載されるような、本明細書では以下遠心冷却装置と言われる、遠心圧縮機を利用する遠心冷却装置で有用である。
【００６８】
一実施形態では、シス−１，１，１，４，４，４−ヘキサフルオロ−２−ブテンとトランス−１，２−ジクロロエチレンとを含む組成物を含有する遠心冷却装置が提供される。遠心圧縮機は、冷媒を放射状に加速するための回転要素を用い、典型的にはケーシングに格納された羽根車および拡散器を含む。遠心圧縮機は通常、流体を羽根車アイか、または回転羽根車の中心入口で取り込み、それを外側へ放射状に加速させる。幾らかの静圧上昇が羽根車で起こるが、圧力上昇のほとんどは、速度が静圧に変換されるケーシングの拡散器部分で起こる。各羽根車−拡散器一式は圧縮機の１段階である。遠心圧縮機は、所望の最終圧力および処理されるべき冷媒の容積に依存して、１〜１２以上の段階で構築される。
【００６９】
圧縮機の圧力比、または圧縮比は、絶対吐出圧力対絶対入口圧力の比である。遠心圧縮機によって供給される圧力は、比較的広範囲の能力にわたって実質的に一定である。遠心圧縮機が生み出すことができる圧力は、羽根車の先端速度に依存する。先端速度は、その先端で測定される羽根車の速度であり、羽根車の直径およびその回転数毎分に関係する。遠心圧縮機の能力は、羽根車の通過のサイズによって決定される。これは、圧縮機のサイズを能力よりも所要圧力に依存するようにする。
【００７０】
方法
一実施形態では、冷却を行う方法は、シス−ＨＦＯ−１３３６ｍｚｚとトランス−１，２−ＤＣＥとを含む組成物を、冷却される本体の近くでエバポレーターで蒸発させ、それによって冷却を行う工程を含む。冷却を行う方法は、シス−ＨＦＯ−１３３６ｍｚｚとトランス−１，２−ＤＣＥとを含む前記組成物を遠心圧縮機で圧縮する工程と、その後シス−ＨＦＯ−１３３６ｍｚｚとトランス−１，２−ＤＣＥとを含む前記組成物を凝縮器で凝縮させる工程とをさらに含んでもよい。
【００７１】
一実施形態では、冷却される本体は、冷却されてもよい任意の空間、物体または流体であってもよい。一実施形態では、冷却される本体は、部屋、ビル、自動車の客室、冷蔵庫、冷凍庫、またはスーパーマーケットもしくはコンビニエンス・ストアの陳列ケースであってもよい。あるいはまた、別の実施形態では、冷却される本体は、冷却媒体または伝熱流体であってもよい。
【００７２】
一実施形態では、冷却を行う方法は、図１に関連して上に記載されたようなフラデッドエバポレーター冷却装置で冷却を行うことを含む。この方法では、シス−ＨＦＯ−１３３６ｍｚｚとトランス−１，２−ＤＣＥとを含む組成物は、第１冷却媒体の近くで蒸発させられて冷媒蒸気を形成する。冷却媒体は水などの暖かい液体であり、それは冷却システムからパイプを経てエバポレーターへ運ばれる。暖かい液体は冷却され、ビルなどの、冷却される本体に通される。冷媒蒸気は次に、例えば、冷却塔から取り込まれる冷却された液体である第２冷却媒体の近くで凝縮させられる。第２冷却媒体は、冷媒蒸気が凝縮して液体冷媒を形成するように冷媒蒸気を冷却する。この方法で、フラデッドエバポレーター冷却装置はまた、ホテル、オフィスビル、病院および大学を冷却するために使用されてもよい。
【００７３】
別の実施形態では、冷却を行う方法は、図２に関連して上に記載されたような直接膨張式冷却装置で冷却を行うことを含む。この方法では、シス−ＨＦＯ−１３３６ｍｚｚとトランス−１，２−ＤＣＥとを含む組成物は、エバポレーターに通され、蒸発して冷媒蒸気を生成する。第１液体冷却媒体は、蒸発する冷媒によって冷却される。第１液体冷却媒体は、エバポレーターから冷却される本体に通される。この方法で、直接膨張式冷却装置はまた、ホテル、オフィスビル、病院、大学、ならびに海軍潜水艦または海軍水上艦を冷却するために使用されてもよい。
【００７４】
フラデッドエバポレーター冷却装置でか直接膨張式冷却装置でかのどちらかで冷却を行うどちらかの方法で、冷却装置は、遠心圧縮機である圧縮機を含む。
【００７５】
別の実施形態では、冷却装置でＨＣＦＣ−１２３またはＣＦＣ−１１冷媒を置き換える方法であって、前記方法が前記冷媒の代わりに１，１，１，４，４，４−ヘキサフルオロ−２−ブテンと１，２−ジクロロエチレンとを含む組成物を前記冷却装置に提供する工程を含み、ここで、１，１，１，４，４，４−ヘキサフルオロ−２−ブテンはシス異性体または主としてシス異性体であり、そして１，２−ジクロロエチレンはトランス異性体または主としてトランス異性体である方法が開示される。
【００７６】
気候変動に関する政府間パネル（Ｉｎｔｅｒｇｏｖｅｒｎｍｅｎｔａｌ  Ｐａｎｅｌ  ｏｎ  Ｃｌｉｍａｔｅ  Ｃｈａｎｇｅ）（ＩＰＣＣ）によって公表されたＧＷＰ計算に基づき、代替を必要としている冷媒および伝熱流体には、ＨＣＦＣ−１２３が含まれるが、それに限定されない。それ故、本発明に従って、冷却装置でＨＣＦＣ−１２３を置き換える方法が提供される。本方法は、前記冷媒の代わりに１，１，１，４，４，４−ヘキサフルオロ−２−ブテンと１，２−ジクロロエチレンとを含む組成物を前記冷却装置に提供する工程であって、１，１，１，４，４，４−ヘキサフルオロ−２−ブテンがシス異性体または主としてシス異性体であり、そして１，２−ジクロロエチレンはトランス異性体または主としてトランス異性体である工程を含む。本方法の冷却装置は、フラデッドエバポレーター冷却装置または直接膨張式冷却装置であってもよい。
【００７７】
ＨＣＦＣ−１２３を置き換えるこの方法で、シス−ＨＦＯ−１３３６ｍｚｚとトランス−１，２−ＤＣＥとを含む組成物は、当初はＨＣＦＣ−１２３で運転するためにデザインされかつ製造されたであろう遠心冷却装置で有用である。
【００７８】
一実施形態では、ＨＣＦＣ−１２３を置き換える方法は、ＨＣＦＣ−１２３冷媒で達成される冷却能力とより良く合致するために遠心圧縮機の羽根車の回転速度を上げる工程をさらに含む。
【００７９】
あるいはまた、別の実施形態では、ＨＣＦＣ−１２３を置き換える方法は、ＨＣＦＣ−１２３冷媒で達成される冷却能力とより良く合致するために遠心圧縮機羽根車をより大きい直径の羽根車で置き換える工程をさらに含む。
【００８０】
ＯＤＰ（ＯＤＰ＝１）およびＧＷＰ（ＧＷＰ＝４７５０）のために代替を必要としている別の冷媒はＣＦＣ−１１である。ＨＣＦＣ−１２３は、ＨＣＦＣ−１２３の性能がＣＦＣ−１１のそれと厳密に合致しているので、当初はＣＦＣ−１１の代替品として冷却装置で使用されていた。しかしＣＦＣ−１１は、世界の特定の地域では依然として使用されている可能性がある。それ故、本発明に従って、冷却装置でＣＦＣ−１１を置き換える方法が提供される。この方法は、前記冷媒の代わりに１，１，１，４，４，４−ヘキサフルオロ−２−ブテンと１，２−ジクロロエチレンとを含む組成物を前記冷却装置に提供する工程であって、１，１，１，４，４，４−ヘキサフルオロ−２−ブテンがシス異性体または主としてシス異性体であり、そして１，２−ジクロロエチレンがトランス異性体または主としてトランス異性体である工程を含む。本方法の冷却装置は、フラデッドエバポレーター冷却装置または直接膨張式冷却装置であってもよい。ＣＦＣ−１１に対する本発明の組成物の性能は、ＨＣＦＣ−１２３と比べて似ていると予期されるであろう。
【００８１】
ＣＦＣ−１１を置き換えるこの方法で、シス−ＨＦＯ−１３３６ｍｚｚとトランス−１，２−ＤＣＥとを含む組成物は、当初はＣＦＣ−１１で運転するためにデザインされかつ製造されたであろう遠心冷却装置で有用である。
【００８２】
一実施形態では、ＣＦＣ−１１を置き換える方法は、ＣＦＣ−１１冷媒で達成される冷却能力とより良く合致するために遠心圧縮機羽根車の回転速度を上げる工程をさらに含む。
【００８３】
あるいはまた、別の実施形態では、ＣＦＣ−１１を置き換える方法は、ＣＦＣ−１１冷媒で達成される冷却能力とより良く合致するために遠心圧縮機羽根車をより大きい直径の羽根車で置き換える工程をさらに含む。
【００８４】
既存の機器でＨＣＦＣ−１２３またはＣＦＣ−１１を置き換える際に、追加の利点は、機器もしくは運転条件または両方を調節することによって実現してもよい。例えば、羽根車直径および羽根車速度は、組成物シス−ＨＦＯ−１３３６ｍｚｚが代替冷媒として使用されている遠心冷却装置で調節されてもよい。
【００８５】
あるいはまた、ＨＣＦＣ−１２３またはＣＦＣ−１１を置き換えるこの方法で、本明細書に開示されるようなシス−ＨＦＯ−１３３６ｍｚｚとトランス−１，２−ＤＣＥとを含む組成物は、新しいフラデッドエバポレーター冷却装置または新しい直接膨張式冷却装置などの、新しい機器で有用であるかもしれない。かかる新しい機器では、遠心圧縮機およびエバポレーターならびにこれと共に使用される凝縮器が使用されてもよい。
【実施例】
【００８６】
実施例１
遠心冷却装置でのシス−ＨＦＯ−１３３６ｍｚｚとトランス−１，２−ＤＣＥとを含む組成物についての冷却性能
遠心冷却装置でシス−ＨＦＯ−１３３６ｍｚｚとトランス−１，２−ジクロロエチレンとを含有する組成物の性能を測定し、ＨＣＦＣ−１２３についての性能と比較する。データを表１に示す。データは、次の条件に基づいている：
【００８７】
【表１】
2013505424.tif 000003
【００８８】
これらの値は５８重量％シス−ＨＦＯ−１３３６ｍｚｚでの組成物についての平均であることに留意されたい。
【００８９】
【表２】
2013505424.tif 000004
【００９０】
本発明の組成物（５８／４２重量％および７４．７／２５．３重量％シス−１３３６ｍｚｚ／トランス−１，２−ＤＣＥ）についてのＧＷＰおよびＯＤＰ値を、シス−ＨＦＯ−１３３６ｍｚｚについての大気寿命予測値について利用可能なデータから推定する。
【００９１】
表１のデータは、５０重量％超のシス−ＨＦＯ−１３３６ｍｚｚでシス−ＨＦＯ−１３３６ｍｚｚとトランス−１，２−ジクロロエチレンとを含む組成物がＨＣＦＣ−１２３に類似のエネルギー効率（ＣＯＰ）および容積冷却能力を意外にも提供することを示す。それらはまた、冷媒をエバポレーター条件から凝縮器条件へリフトさせるために匹敵する羽根車先端速度を意外にも必要とする。特に、７４．７／２５．３ブレンドの性能はＨＣＦＣ−１２３のそれに著しく近い。結果として、新規冷媒ブレンドのために最適化された、新しい冷却装置デザインを開発するコストおよびリスクは低減される。シス−ＨＦＯ−１３３６ｍｚｚを含有する表１の組成物によって生じるエバポレーターおよび凝縮器圧力は、ＨＣＦＣ−１２３によって生じるものより低い。それ故、ＨＣＦＣ−１２３６によって生じる圧力に耐えるようにデザインされた冷却機器は、シス−ＨＦＯ−１３３６ｍｚｚを含有する表１の組成物での使用に適切であろう。
【００９２】
既存のＨＣＦＣ−１２３冷却装置の一改造シナリオでは、ＨＣＦＣ−１２３冷媒は、７４．７重量％のシス−ＨＦＯ−１３３６ｍｚｚを含有する新規冷媒ブレンドで置き換えられるが、圧縮機羽根車は保持されるであろう。このシナリオでは、羽根車の回転速度の小さい（５．２％）増加が、新規冷媒をエバポレーター条件から凝縮器条件へリフトさせるために必要とされるわずかにより高い先端速度と冷却装置の公称冷却能力を復元するために必要とされるわずかにより高い冷媒容積流量とを生み出すであろう。運転条件の新しいセットでの圧縮機効率は、改造前の圧縮機効率から実質的に外れないであろう。圧縮機が改造前の最大効率で動作すると仮定すると、ほんのわずかな効率損失は、最小限の変換コストで新規冷媒の利益と引き換えに受け入れられなければならないであろう。
【００９３】
実施例２
不燃性試験
シス−ＨＦＯ−１３３６ｍｚｚとトランス−１，２−ジクロロエチレンとを含む組成物についての不燃性範囲を、ＡＳＨＲＡＥ基準３４−２００７で要求され、そしてＡＳＨＲＡＥ基準３４−２００７の補遺ｐに記載されているようにＡＳＴＭＥ６８１−２００１試験手順に従って測定した。試験条件は、２３℃で整えられる５０％相対湿度で、１００℃であった。結果を表２に示す。
【００９４】
【表３】
2013505424.tif 000005
【００９５】
これらの試験結果は、５７．５重量パーセント超（その点でＬＦＬおよびＵＦＬは同じ値である）のシス−ＨＦＯ−１３３６ｍｚｚでシス−ＨＦＯ−１３３６ｍｚｚとトランス−１，２−ＤＣＥとを含むいかなる組成物も１００℃で不燃性であろうことを示す。
【００９６】
実施例３
可燃性試験
５０重量パーセントのシス−ＨＦＯ−１３３６ｍｚｚと５０重量パーセントのトランス−１，２−ＤＣＥとを含有する組成物を、実施例２に記載される通りに、しかし６０℃の温度で試験し、空気中９．０容量パーセントのＬＦＬおよびＵＦＬの両方で、可燃性であることが分かった。それ故６０℃では、この組成物についての可燃限界は５０重量パーセントのシス−ＨＦＯ−１３３６ｍｚｚであり、５０重量パーセント超のシス−ＨＦＯ−１３３６ｍｚｚでシス−ＨＦＯ−１３３６ｍｚｚとトランス−１，２−ＤＣＥとを含む組成物は不燃性であろう。
【００９７】
例４−比較
遠心冷却装置でのシス−ＨＦＯ−１３３６ｍｚｚについての冷却性能
遠心冷却装置でのシス−ＨＦＯ−１３３６ｍｚｚについての性能を測定し、ＨＣＦＣ−１２３についての性能と比較する。データを表１に示す。データは、次の条件に基づいている：
【００９８】
【表４】
2013505424.tif 000006
【００９９】
これらの値は５８重量％シス−ＨＦＯ−１３３６ｍｚｚでの組成物についての平均であることに留意されたい。
【０１００】
【表５】
2013505424.tif 000007
【０１０１】
表３のデータを表１のデータと比較すると、本発明のブレンドがシス−ＨＦＯ−１３３６ｍｚｚ単独よりＨＣＦＣ−１２３の代替品としてより効果的に使用できることを示す。
【図１】
2013505424.tif 000008
【図２】
2013505424.tif 000009
【国際調査報告】
2013505424.tif 000010
2013505424.tif 000011
2013505424.tif 000012